(57)【特許請求の範囲】
【請求項１】
エアー吸引口と排出口とが形成されたケース体と、このケース体内に取付けられた、該ケース体の内壁と外周部にエアー通路が形成される水収納容器と、この水収納容器の外周部のエアー通路を通過するエアーを上部より下部に位置する水収納容器内へ螺旋状に回転しながら導き、該水収納容器内より上部位置の前記排出口より螺旋状に回転しながら排出できる筒状のエアーガイド筒を用いた下方エアー通路と、前記水収納容器の底面に取付けられた、該水収納容器内および前記エアー吸引口と接続されるエアー通路に突出する駆動軸を備えるモータと、このモータのエアー通路に突出する駆動軸に取付けられた送風羽根と、前記水収納容器内に突出する駆動軸に取付けられた水を飛散させて衝突させることにより陰イオンを含むミストを発生させる回転体とからなることを特徴とする陰イオン発生装置。
【発明の詳細な説明】
【０００１】
【発明の属する技術分野】
本発明は陰イオン発生装置に関する。
【０００２】
【従来の技術】
従来の陰イオン発生装置はエアー吸引口と排出口とが形成されたケース体と、このケース体内に形成された前記エアー吸引口と排出口とを連通させるエアー通路と、前記エアー吸引口より吸引したエアーを前記エアー通路を通過して前記排出口より排出させる、前記ケース体内に取付けられたファンと、前記エアー通路に介装された水を飛散させて衝突させることにより、陰イオンを含むミストを発生させる前記ケース体内に取付けられた回転体を有するミスト発生機とで構成されている。
【０００３】
【発明が解決しようとする課題】
従来の陰イオン発生装置はファンの送風羽根を駆動させるファン用モータと、ミスト発生機の回転体を駆動させるミスト発生用モータとを使用しているので構造が複雑で、大型となり、コスト高になるという欠点があった。
【０００４】
本発明は以上のような従来の欠点に鑑み、送風羽根と回転体とを１個のモータの駆動軸で駆動できるようにして、構造を簡単にして小型化やコストの低減を図ることができる陰イオン発生装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はエアー吸引口と排出口とが形成されたケース体と、このケース体内に取付けられた、該ケース体の内壁と外周部にエアー通路が形成される水収納容器と、この水収納容器の外周部のエアー通路を通過するエアーを上部より下部に位置する水収納容器内へ螺旋状に回転しながら導き、該水収納容器内より上部位置の前記排出口より螺旋状に回転しながら排出できる筒状のエアーガイド筒を用いた下方エアー通路と、前記水収納容器の底面に取付けられた、該水収納容器内および前記エアー吸引口と接続されるエアー通路に突出する駆動軸を備えるモータと、このモータのエアー通路に突出する駆動軸に取付けられた送風羽根と、前記水収納容器内に突出する駆動軸に取付けられた水を飛散させて衝突させることにより陰イオンを含むミストを発生させる回転体ととで陰イオン発生装置を構成している。
【０００７】
【発明の実施の形態】
以下、図面に示す実施の形態より、本発明を詳細に説明する。
【０００８】
図１ないし図１０に示す本発明の第１の実施の形態において、１は低コストで小型コンパクト化を図ることができる本発明の陰イオン発生装置で、この陰イオン発生装置１は下部側面にエアー吸引口２が形成されるとともに、上部を覆うカバー３の中央部に排出口４が形成されたケース体５と、このケース体５内の上部寄りの部位に、外周部に前記エアー吸引口２と連通するエアー通路６が形成されるように上部フランジ部７が、該ケース体５に固定された上部開口の円形状の水収納容器８と、この水収納容器８のフランジ部７に形成された該水収納容器８の外周部のエアー通路６からのエアーを螺旋状に上部へ導く複数個のエアー孔９と、前記カバー３の内壁面に一体形成された、前記水収納容器８の内壁面との間に螺旋状で下方へエアーを導く下方エアー通路１０を形成する筒状のエアーガイド筒１１と、前記水収納容器８のほぼ中央底面にシール材１２で密閉状態で固定された駆動軸１３が上下方向に突出するモータ１４と、このモータ１４の下部より突出する駆動軸１３に取付けられた、前記エアー吸引口２よりエアーを吸引し、エアー通路６、複数個のエアー孔９、下方エアー通路１０を通過させて排出口４より排出させるファン１５を構成する送風羽根１６と、前記水収納容器８内に突出する上部の駆動軸１３に取付けられた、該水収納容器８内に収納された水を外周部の螺旋状の溝１７に沿って上方へ移動させ、上部から外方へ飛散させ、飛散させた水をくし状の衝突分散体１８によって陰イオンを含むミストを発生させるミスト発生機１９を構成する回転体２０と、前記ケース体５の下部に設置された水収納タンク２１とで構成されている。
【０００９】
上記構成の陰イオン発生装置１はモータ１４を駆動させることにより、送風羽根１６が回転し、エアー吸引口２からケース体５内のエアー通路６、複数個のエアー孔９を通過して螺旋状に回転しながら下方エアー通路１０を通過して、水収納容器８内に導かれ、排出口４より排出されるが、水収納容器８内の回転体２０も前記モータ１４の駆動によって回転し、水収納容器８内の水を螺旋状に溝１７に沿って上方へ移動させ、外方へ飛散させるが、この時、外方へ飛散された水はくし状の衝突分散体１８に衝突して陰イオンを含むミストを発生させ、この陰イオンを含むミストが排出口４へ排出されるエアーによって外部へ排出される。
【００１０】
【発明者が考えた異なる陰イオン発生装置】
次に、図１１ないし図２７に示す本発明者が考えた異なる陰イオン発生装置を説明する。なお、これらの本発明者が考えた異なる陰イオン発生装置の説明に当って、前記本発明の第１の実施の形態と同一構成部分には同一符号を付して重複する説明を省略する。
【００１１】
図１１ないし図２３に示す本発明者が考えた異なる陰イオン発生装置において、前記本発明の第１の実施の形態と主に異なる点は、エアー吸引口２から送風羽根１６によって吸引されるエアーを、ケース体５Ａの内壁５ａと水収納容器８の一側面との間を通過して該水収納容器８内に導くエアー通路６Ａと、このエアー通路６Ａの水収納容器８内に導かれたエアーを下部側面と上部に開口部が形成された筒状のエアーガイド筒２２のエアー通路２３およびガイド板２４のエアー孔２５を通過して、カバー３Ａの前方中央部に形成された排出口４より排出できるようにエアー通路２６を形成した点で、このように形成されたエアー通路２６を用いて構成した陰イオン発生装置１Ａにしても良い。
【００１２】
図２４ないし図２７に示す本発明者が考えた異なる陰イオン発生装置において、前記本発明の第１の実施の形態と主に異なる点は、下部が水収納容器となるケース体５Ｂを用いるとともに、該ケース体５Ｂの下部を除く部位を仕切壁２７で仕切って、上部にエアー吸引口２と排出口４を形成したカバー３Ｂを取付けた点で、このように構成した陰イオン発生装置１Ｂにしても、前記本発明の第１の実施の形態と同様な作用効果が得られるとともに、モータ１４、駆動軸１３の下部に取付けられた回転体２０の下部をケース体５Ｂ内に収納された水の中に挿入するだけでよいので、防水処理が不要で、構造が簡単で、より安価に製造することができる。
【００１３】
【発明の効果】
以上の説明から明らかなように、本発明にあっては次に列挙する効果が得られる。
【００１４】
（１）エアー吸引口と排出口とが形成されたケース体と、このケース体内に取付けられた、該ケース体の内壁と外周部にエアー通路が形成される水収納容器と、この水収納容器の外周部のエアー通路を通過するエアーを上部より下部に位置する水収納容器内へ螺旋状に回転しながら導き、該水収納容器内より上部位置の前記排出口より螺旋状に回転しながら排出できる筒状のエアーガイド筒を用いた下方エアー通路と、前記水収納容器の底面に取付けられた、該水収納容器内および前記エアー吸引口と接続されるエアー通路に突出する駆動軸を備えるモータと、このモータのエアー通路に突出する駆動軸に取付けられた送風羽根と、前記水収納容器内に突出する駆動軸に取付けられた水を飛散させて衝突させることにより陰イオンを含むミストを発生させる回転体とで構成されているので、エアーを吸引して排出するファンと、水を飛散させて衝突させることにより、陰イオンを含むミストを発生させる回転体を有するミスト発生機の送風羽根と回転体とを１個のモータの両端部より外方に突出する駆動軸で駆動させることができる。
したがって、１個のモータでよく、構造が簡単で、小型コンパクト化やコストの低減を図ることができる。
【００１５】
（２）前記（１）によって、モータの両端部より外方に突出する駆動軸に送風羽根と回転体を取付けるので、外方に突出する駆動軸の先端部を軸受等によって支持しなくても、スムーズに回転できる。
したがって、軸受が不要で、該軸受を取付けるスペースも不要となり、小型コンパクト化をさらに図ることができる。
【００１６】
（３）前記（１）によって、モータ、送風羽根、回転体とを一体化できる。
したがって、取付け作業が容易で、短時間に行なうことができる。
【図面の簡単な説明】
【図１】本発明の第１の実施の形態の正面図。
【図２】本発明の第１の実施の形態の平面図。
【図３】本発明の第１の実施の形態の縦断面図。
【図４】本発明の第１の実施の形態のカバーの平面図。
【図５】本発明の第１の実施の形態のカバーの底面図。
【図６】図４の６−６線に沿う断面図。
【図７】本発明の第１の実施の形態のカバーを外した状態の平面図。
【図８】図７の８−８線に沿う断面図。
【図９】モータに送風羽根と回転体を取付けた説明図。
【図１０】本発明の第１の実施の形態の回転体の断面図。
【図１１】本発明者が考えた異なる陰イオン発生装置の正面図。
【図１２】本発明者が考えた異なる陰イオン発生装置の背面図。
【図１３】本発明者が考えた異なる陰イオン発生装置の側面図。
【図１４】本発明者が考えた異なる陰イオン発生装置の一部破断正面図。
【図１５】カバーの正面図。
【図１６】図１５の１６−１６線に沿う断面図。
【図１７】ガイド板の平面図。
【図１８】図１７の１８−１８線に沿う断面図。
【図１９】図１７の１９−１９線に沿う断面図。
【図２０】エアーガイド筒の説明図。
【図２１】図２０の２１−２１線に沿う断面図。
【図２２】カバーとガイド板を外した状態の平面図。
【図２３】カバーとガイド板を外した状態の正面図。
【図２４】本発明者が考えた異なる陰イオン発生装置の正面図。
【図２５】本発明者が考えた異なる陰イオン発生装置の平面図。
【図２６】図２４の２６−２６線に沿う断面図。
【図２７】図２５の２７−２７線に沿う断面図。
【符号の説明】
１、１Ａ、１Ｂ：陰イオン発生装置、
２：エアー吸引口、      ３、３Ａ、３Ｂ：カバー、
４：排出口、            ５、５Ａ、５Ｂ：ケース体、
６、６Ａ：エアー通路、  ７：フランジ部、
８：水収納容器、        ９：エアー孔、
１０：下方エアー通路、  １１：エアーガイド筒、
１２：シール材、        １３：駆動軸、
１４：モータ、          １５：ファン、
１６：送風羽根、        １７：螺旋状の溝、
１８：衝突分散体、      １９：ミスト発生機、
２０：回転体、          ２１：水収納タンク、
２２：エアーガイド筒、  ２３：エアー通路、
２４：ガイド板、        ２５：エアー孔、
２６：エアー通路、      ２７：仕切壁。
【図１】
0003930759.tif 000002
【図２】
0003930759.tif 000003
【図３】
0003930759.tif 000004
【図４】
0003930759.tif 000005
【図５】
0003930759.tif 000006
【図６】
0003930759.tif 000007
【図７】
0003930759.tif 000008
【図８】
0003930759.tif 000009
【図９】
0003930759.tif 000010
【図１０】
0003930759.tif 000011
【図１１】
0003930759.tif 000012
【図１２】
0003930759.tif 000013
【図１３】
0003930759.tif 000014
【図１４】
0003930759.tif 000015
【図１５】
0003930759.tif 000016
【図１６】
0003930759.tif 000017
【図１７】
0003930759.tif 000018
【図１８】
0003930759.tif 000019
【図１９】
0003930759.tif 000020
【図２０】
0003930759.tif 000021
【図２１】
0003930759.tif 000022
【図２２】
0003930759.tif 000023
【図２３】
0003930759.tif 000024
【図２４】
0003930759.tif 000025
【図２５】
0003930759.tif 000026
【図２６】
0003930759.tif 000027
【図２７】
0003930759.tif 000028